(57)【特許請求の範囲】
【請求項１】
固定刃と、その固定刃に沿って刃先を含む一方の面を該面と対向する前記固定刃の面に接触させながら往復移動する回転刃とを備えた粘着シート用カッタにおいて、
該回転刃が前記固定刃上の切断位置にセットされた粘着シートを切断する位置において、該回転刃が前記固定刃に対して最も深くラップする部分の刃先に対応する該記固定刃の前記面に、前記回転刃の刃先が接触しないようにするための逃げ部を形成し、
前記回転刃の少なくとも前記刃先付近の前記固定刃と接触しない面にシリコンオイルを付着させるオイル含浸フェルトを設け、
該オイル含浸フェルトは、前記回転刃と共に前記往復移動方向に移動して該回転刃の少なくとも前記刃先付近の前記固定刃と接触しない面に常に接触していることを特徴とする粘着シート用カッタ。
【請求項２】
前記固定刃の逃げ部は、前記回転刃の移動領域の全域に亘って前記刃先が該固定刃に接触しないように前記回転刃の前記往復移動方向に沿ってその全域に亘って形成した溝であることを特徴とする請求項１記載の粘着シート用カッタ。
【請求項３】
固定刃と、その固定刃に沿って刃先を含む一方の面を該面と対向する前記固定刃の面に接触させながら往復移動する回転刃とを備えた粘着シート用カッタにおいて、
該回転刃が前記固定刃上の切断位置にセットされた粘着シートを切断する位置において、該回転刃が前記固定刃に対して最も深くラップする部分の刃先に対応する前記固定刃の前記面に、前記回転刃の移動領域の全域に亘って前記粘着シートの粘着面に付着されている糊が付着しないようにする非粘着処理を施し、
前記回転刃の少なくとも前記刃先付近の前記固定刃と接触しない面にシリコンオイルを付着させるオイル含浸フェルトを設け、
該オイル含浸フェルトは、前記回転刃と共に前記往復移動方向に移動して該回転刃の少なくとも前記刃先付近の前記固定刃と接触しない面に常に接触していることを特徴とする粘着シート用カッタ。
【請求項４】
固定刃と、その固定刃に沿って刃先を含む一方の面を該面と対向する前記固定刃の面に接触させながら往復移動する回転刃とを備えた粘着シート用カッタにおいて、
前記固定刃は、前記回転刃の刃先の周方向の一部が該回転刃の前記往復移動領域の全域に亘って、その固定刃上の切断位置にセットされた粘着シートの面に対して直交する方向の端縁から外側にはみ出すように配設され、
前記回転刃の少なくとも前記刃先付近の前記固定刃と接触しない面に常に接触してシリコンオイルを付着させるオイル含浸フェルトを設け、
該オイル含浸フェルトは、前記回転刃と共に前記往復移動方向に移動して該回転刃の少なくとも前記刃先付近の前記固定刃と接触しない面に常に接触していることを特徴とする粘着シート用カッタ。
【請求項５】
前記オイル含浸フェルトは、前記回転刃と共に前記往復移動方向に移動しながら前記回転刃の刃先付近の前記固定刃と接触しない面と該固定刃に接触する面とに常に接触していることを特徴とする請求項１乃至４のいずれか一項に記載の粘着シート用カッタ。
【請求項６】
前記回転刃の前記固定刃に対する往復移動範囲が、往方向と復方向の各移動限で前記回転刃の刃先の一部が前記固定刃の両側の各端部から前記往復移動方向にそれぞれ外れる移動範囲であり、その往方向と復方向の各移動限では前記回転刃の回転中心の位置が前記固定刃の両側の各端部よりもそれぞれ内側にあることを特徴とする請求項１乃至５のいずれか一項に記載の粘着シート用カッタ。
【発明の詳細な説明】
【０００１】
【発明の属する技術分野】
この発明は、シートの少なくとも片面に糊が付着されている粘着シートを切断するのに適した粘着シート用カッタに関する。
【０００２】
【従来の技術】
例えば、図１０に示すように、連続した台紙(ライナ)５２上に所定の間隔Ｓを置いてラベル片５３が貼り付けられているラベル５１を、その間隔Ｓの１点鎖線で示す部分で図１３に示すような固定刃５４と、その固定刃５４の長手方向に沿って往復移動する回転刃５５とによって切断した場合には、その固定刃５４と回転刃５５は共に図１０のラベル片５３の内側の糊面５３ａに接することがないので、それらに糊が付着することはない。
【０００３】
しかしながら、図１１に示すように連続した台紙６２上にラベル紙６３の糊５６が付着された側の面が連続して貼り付けられているラベル６１や、図１２に示すように内側に糊面７１ａを有する連続したラベル紙７１のみであって、台紙が設けられていないライナレスラベル７０を、それぞれ１点鎖線で示すような所定の間隔で図１３に示したような固定刃５４と回転刃５５とによって切断する場合には、それらの刃に糊が付着しやすい。
【０００４】
すなわち、図１３及び図１４に示すように固定刃５４には、その上面５４ａと、側面５４ｂの回転刃５５の刃先に対応する部分に、糊５６が回転刃５５の矢示Ａで示す往復移動方向に沿って図示のように付着しやすい。
また、図１３及び図１５に示すように回転刃５５には、その刃先５５ａ付近の固定刃５４と接触しない先端部斜面５５ｂの部分に、全周に亘って糊５６が付着しやすい。
【０００５】
【発明が解決しようとする課題】
このように、固定刃や回転刃に糊が付着してしまうと、それが原因でラベルやライナレスラベル等の粘着シートを切断することができなくなったり、切断することができたとしても、その切断したラベルが糊により固定刃にくっついてしまって所定の場所まで落下しなくなってしまったりするようになる。
そのため、従来は定期的に固定刃や回転刃に付着した糊を清掃する必要があったので、それが面倒であった。
【０００６】
この発明は、上記の問題点に鑑みてなされたものであり、ラベルやライナレスラベル等の糊面を有する粘着シートを切断しても、固定刃や回転刃清掃する面倒な作業をしなくても済むようにすることを目的とする。
【０００７】
【課題を解決するための手段】
この発明は上記の目的を達成するため、固定刃と、その固定刃に沿って刃先を含む一方の面を該面と対向する前記固定刃の面に接触させながら往復移動する回転刃とを備えた粘着シート用カッタにおいて、
その回転刃が固定刃上の切断位置にセットされた粘着シートを切断する位置において、その回転刃が固定刃に対して最も深くラップする部分の刃先に対応する固定刃の上記面に、上記回転刃の刃先が接触しないようにするための逃げ部を形成し、
上記回転刃の少なくとも刃先付近の上記固定刃と接触しない面にシリコンオイルを付着させるオイル含浸フェルトを設け、
そのオイル含浸フェルトは、上記回転刃と共に上記往復移動方向に移動して該回転刃の少なくとも刃先付近の上記固定刃と接触しない面に常に接触していることを特徴とする。
【０００８】
従来の粘着シート用カッタでは、粘着シートを固定刃上の切断位置にセットして、回転刃を移動させることにより切断すると、その切断の際に回転刃の固定刃に対して最も深くラップする刃先に対応する固定刃側の面に粘着シートの糊が付着しやすかったが、この発明による上記粘着シート用カッタでは、その回転刃の刃先に対応する固定刃側の面には、回転刃の刃先が接触しないようにするための逃げ部を形成しているので、固定刃には粘着シートからの糊が付着しない。
また、回転刃の少なくとも刃先付近の固定刃と接触しない面には、回転刃と共に往復移動するオイル含浸フェルトにより常にシリコンオイルが付着されるので、その面に糊が付着するのを防止することができる。
【０００９】
さらに、上記固定刃の逃げ部を、上記回転刃の移動領域の全域に亘って上記刃先がその固定刃に接触しないように回転刃の往復移動方向に沿ってその全域に亘って形成した溝にするとよい。
そうすれば、固定刃に形成する逃げ部は、回転刃の往復移動領域の全域に亘って形成した単なる溝でよいので、簡単に製作することができる。
【００１０】
上記固定刃の上記面に回転刃の刃先が接触しないようにするための逃げ部を形成するのに代えて、上記回転刃が固定刃上の切断位置にセットされた粘着シートを切断する位置において、その回転刃が固定刃に対して最も深くラップする部分の刃先に対応する上記固定刃の上記面に、回転刃の移動領域の全域に亘って粘着シートの粘着面に付着されている糊が付着しないようにする非粘着処理を施してもよい。
【００１１】
そうすれば、固定刃上の切断位置にセットした粘着シートを切断した際に、その切断された粘着シートの切断面が、回転刃の固定刃に対して最も深くラップする部分の刃先に対応する位置に移動しても、その位置に対応する固定刃の面には粘着シートの粘着面に付着されている糊が付着しないようにする非粘着処理が施されているので、その粘着シートの糊が固定刃に付着するようなことがない。
【００１２】
あるいはまた、上記固定刃を、上記回転刃の刃先の周方向の一部がその回転刃の往復移動領域の全域に亘って、その固定刃上の切断位置にセットされた粘着シートの面に対して直交する方向の端縁から外側にはみ出すように配設してもよい。
【００１３】
このようにすれば、粘着シートを固定刃上の切断位置にセットして、それを回転刃を移動させることにより切断すると、粘着シートの回転刃によって切断された部分の端面は回転刃の刃先部分まで移動されるが、その回転刃の刃先部分は、固定刃の切断位置にセットされた粘着シートの面に対して直交する方向の端縁から外側にはみ出すようになっているので、切断された粘着シートの切断面に露出している糊が固定刃側に付着するようなことがない。
【００１４】
また、上記オイル含浸フェルトが、上記回転刃と共に往復移動方向に移動しながら上記回転刃の刃先付近の固定刃と接触しない面とその固定刃に接触する面とに常に接触しているようにするとよい。
【００１５】
このようにすれば、固定刃上の切断位置にセットした粘着シートを回転刃で切断すると、その際に粘着シートの糊が回転刃の固定刃に接触する面と、その回転刃の刃先付近の固定刃と接触しない面とに付着しそうになるが、その両方の面にオイル含浸フェルトによりシリコンオイルが付着されているので、いずれの面にも糊が付着しない。
【００１６】
【００１７】
さらに、上記回転刃の固定刃に対する往復移動範囲が、往方向と復方向の各移動限でその回転刃の刃先の一部が固定刃の両側の各端部から上記往復移動方向にそれぞれ外れる移動範囲であり、その往方向と復方向の各移動限では回転刃の回転中心の位置が固定刃の両側の各端部よりもそれぞれ内側にあるように、上記各粘着シート用カッタを構成するとよい。
【００１８】
このようにすれば、回転刃が往復移動することによって粘着シートを切断しても、その際に回転刃は往方向と復方向のそれぞれ移動限で、その刃先の一部が固定刃の両側の各端部から必ず上記往復移動方向にそれぞれ外れた位置になるので、その固定刃には回転刃の往方向と復方向のそれぞれ移動限に対応した位置に粘着シートの糊が堆積するようなことがない。
【００１９】
【発明の実施の形態】
以下、この発明の実施の形態を図面に基づいて説明する。
図１はこの発明の一実施形態例を示す粘着シート用カッタの斜視図である。
この粘着シート用カッタは、印字装置の固定部等に固定される固定刃１と、その固定刃１の長手方向に沿って図示しないガイドに案内されて、図１の円内に断面を示すように、刃先２ｂを含む一方の面２ｄを該面と対向する固定刃１側の面に接触させながら矢示Ａ方向に往復移動する回転刃２とを備えている。
【００２０】
そして、この粘着シート用カッタは、回転刃２が図１に仮想線で示すように固定刃１上の切断位置にセットされた粘着シート３を切断する位置において、その回転刃２が固定刃１に対して最も深くラップする部分(最下位置)２ａの刃先２ｂに対応する固定刃１側の面に、回転刃２の刃先２ｂが接触しないようにするための逃げ部となる溝４を、その固定刃１の長手方向の全域に亘って形成している。したがって、その固定刃１には、回転刃２の移動領域の全域に亘って溝４が形成されている。
【００２１】
また、この粘着シート用カッタは、回転刃２の少なくとも刃先２ｂ付近の固定刃１と接触しない面である先端部斜面２ｃに、シリコンオイルを付着させるオイル含浸フェルト５を、その回転刃２の上部側に常に接触させて設けている。
【００２２】
そのオイル含浸フェルト５は、この実施の形態のものは図１に示すように、シリコンオイルを含浸させた２枚のフェルト部材からなり、その２枚のフェルト部材の間に回転刃２の一部が接触しながら回転することにより、回転刃２の固定刃１と接触しない先端部斜面２ｃと、固定刃に接触する面２ｄとに常に接触する。そして、このオイル含浸フェルト５が、回転刃２と共に矢示Ａで示す往復移動方向に移動するようになっている。
【００２３】
それによって、そのオイル含浸フェルト５は、回転刃２が粘着シート３を切断した際に、その粘着シート３の糊面に付着している糊が回転刃２に付着しないようにしたり、その糊が付着したときにはそれを払拭して取り除く働きをする。
なお、このオイル含浸フェルト５は、回転刃２の固定刃１と接触しない先端部斜面２ｃにだけ接触するものであってもよい。
【００２４】
この粘着シート用カッタは、図１に仮想線で示したように粘着シート３を固定刃１上の所定の切断位置にセットし、それを回転刃２を移動させることにより切断すると、その際に回転刃２の固定刃１に対して最も深くラップする部分２ａの刃先２ｂ付近に、切断された粘着シート３の切断面が位置するようになる。
【００２５】
しかしながら、その回転刃２の刃先２ｂに対応する固定刃１側の面には、前述したように回転刃２の刃先２ｂが接触しないようにするための溝４が形成されているため、上記のように切断されて最も深くラップする部分２ａの位置まで移動された粘着シート３の切断面が固定刃１に接触しないので、粘着シート３の切断面に露出した糊が固定刃１に付着するようなことがない。
したがって、切断時に粘着シート３の切断面に露出した糊が、図１３で説明した従来の粘着シート用カッタのように固定刃５４の側面５４ｂの場所に付着するようなことがなく、その糊は粘着シート３側に付着されたまま切断されていく。
【００２６】
また、回転刃２の少なくとも刃先２ｂ付近の固定刃１と接触しない先端部斜面２ｃには、オイル含浸フェルト５との接触によりシリコンオイルが付着されているので、その先端部斜面２ｃにも糊が付着しない。
さらに、固定刃１に形成している溝４は、回転刃２の移動領域の全域に亘って形成するようにした単なる溝であるため、それを簡単に製作することができる。
【００２７】
図２はこの発明による粘着シート用カッタの他の実施の形態を示す図１と同様な斜視図である。
この粘着シート用カッタは図１に示したカッタと同様に、固定刃１１と、その固定刃１１に沿って矢示Ａ方向に往復移動する回転刃２とを備えており、その固定刃１１は、回転刃２の刃先２ｂの周方向の一部（最下部付近）がその回転刃２の移動領域の全域に亘って、その固定刃１１上の切断位置にセットされた粘着シート（図示を省略しているので図１を参照）の面に対して直交する矢示Ｅ方向の下端縁１１ａから下側に、はみ出すように配設されている。
【００２８】
そして、この粘着シート用カッタは、回転刃２の刃先２ｂ付近の固定刃１１と接触しない先端部斜面２ｃと固定刃１１に接する面２ｄ、及びその面２ｄに平行な前面２ｅとに常に接触してシリコンオイルを付着させるオイル含浸フェルト１５を設けると共に、そのオイル含浸フェルト１５を回転刃２と共に矢示Ａの往復方向に移動するようにしている。
【００２９】
この粘着シート用カッタによれば、回転刃２を移動させて固定刃１１上にセットした粘着シート３（図１参照）を切断すると、粘着シート３の回転刃２によって切断された部分の切断面は回転刃２の刃先２ｂの部分まで移動されるが、その回転刃２の刃先２ｂの最下部に位置する部分は、上述したように固定刃１１の下端縁１１ａから下側にはみ出すようになっているので、その粘着シート３の切断面に露出した糊が固定刃１１に付着するようなことがない。
【００３０】
そして、この実施の形態による粘着シート用カッタは、図１で説明した粘着シート用カッタの固定刃１のように、そこに回転刃２の固定刃１に対して最も深くラップする部分２ａに対応させて溝４を形成する必要がないので、その溝４を加工しなくて済む分だけ安価にできる。
【００３１】
図３は固定刃の一部に非粘着処理を施すようにした粘着シート用カッタの実施の形態を示す斜視図、図４は同じくその粘着シート用カッタを一部を断面状態にして示す側面図であり、図１と対応する部分には同一の符号を付してある。
この粘着シート用カッタは、回転刃２を固定刃１′上の切断位置に図３に仮想線で示すようにセットした粘着シート３を切断する位置（仮想線図示位置）において、その回転刃２が固定刃１′に対して最も深くラップする部分２ａの刃先２ｂに対応する固定刃１′側の面に、回転刃２の移動領域の全域に亘って粘着シート３の粘着面に付着されている糊が付着しないようにする非粘着処理を施した非粘着処理部１０を設けている。
その非粘着処理部１０は、例えば非粘着剤を固定刃１′に焼付塗装することにより形成する。
【００３２】
なお、この実施の形態においても、図１で説明した粘着シート用カッタと同様に、回転刃２にシリコンオイルを付着させるオイル含浸フェルト５を設けている。
このように、固定刃１′側の面の回転刃２の刃先２ｂに対応する部位に非粘着処理部１０を形成するようにしても、回転刃２と固定刃１′とによって切断された粘着シート３の切断面に露出した粘着性を有する糊は、固定刃１′に形成されている非粘着処理部１０には付着しないので、それが付着する場所がないため、粘着シート３側に残った状態のまま粘着シート３が切断されていく。
【００３３】
図５は異なる形状のオイル含浸フェルトの例を一部を断面にして示す概略図である。
このオイル含浸フェルト１５′は、回転刃２の固定刃１１と接触しない先端部斜面２ｃと固定刃１１に接触する面２ｄとにのみ接する形状に形成されている。このような形状のオイル含浸フェルト１５′を使用しても、回転刃２の先端部斜面２ｃと面２ｄは、そこに常に接するオイル含浸フェルト１５′によってシリコンオイルによる湿潤状態が保たれるので、そこに粘着シート３から糊５６が付着しない。
【００３４】
図６は異なる形状の回転刃を使用した粘着シート用カッタの参考例を示す図５と同様な概略図である。
この粘着シート用カッタは、回転刃２′の固定刃１１に接する面２ｄにのみ常に接触してシリコンオイルを付着させる回転刃接触面オイル含浸フェルト２５を設け、回転刃２′の刃先２ｂ付近の固定刃１１と接触しない先端部斜面２ｃに、その刃先２ｂから回転刃２′の回転中心Ｏに向けて所定の距離を置いた位置に凹部２１を全周に亘って形成している。
【００３５】
このように、回転刃２′の先端部斜面２ｃに凹部２１を形成するようにした場合には、回転刃２′により切断された粘着シート３′の切断面の糊５６の部分が、先端部斜面２ｃに接触しないようにすることができるので、その先端部斜面２ｃに粘着シート３′から糊５６が付着するのを防止することができる。
【００３６】
したがって、切断時に粘着シート３の切断面に露出した糊が、図１３で説明した従来の粘着シート用カッタの回転刃５５の先端部斜面５５ｂに付着した糊５６のように、その位置に付着するようなことがない。
また、回転刃２′の面２ｄは、回転刃接触面オイル含浸フェルト２５によりシリコンオイルが塗布されて湿潤状態になるので、そこに粘着シート３の糊が付着するのを防止することができる。
【００３７】
図７は異なる形状の固定刃の例を回転刃側を断面にして示す概略図である。
この固定刃３１は、図示のように側面から見た形状を逆Ｌ字状とすることにより、回転刃２が固定刃３１に対して最も深くラップする部分(最下位置)２ａの刃先２ｂ（２ａと同じ位置になる）に対応する固定刃３１側の面に、回転刃２の刃先２ｂが接触しないようにするための逃げ部３２を形成している。
このようにしても、前述した各実施の形態と同様に、回転刃２の刃先２ｂに対応する固定刃３１の部分に粘着シートの糊が付着するのを防止することができる。
【００３８】
図８はこの発明による粘着シート用カッタのさらに他の実施の形態の異なる部分のみを示す正面図である。
この粘着シート用カッタは、回転刃２の固定刃１１に対する移動範囲が、矢示Ｂの往方向と矢示Ｃの復方向のそれぞれ図８に示す各移動限で、その回転刃２の刃先２ｂの一部が固定刃１の両側の各端部１１ｂ，１１ｃから往復移動方向（外側）にそれぞれ外れる移動範囲となるようにしている。
そして、その回転刃２の矢示Ｂの往方向と矢示Ｃの復方向の各移動限では、回転刃２の回転中心Ｏの位置が図示のように固定刃１の両側の各端部１１ｂ，１１ｃよりもそれぞれ内側になるようにしている。
【００３９】
この粘着シート用カッタによれば、回転刃２が矢示ＢとＣとに往復移動することによって粘着シートを切断しても、その際に回転刃２は矢示Ｂの往方向と矢示Ｃの復方向のそれぞれ移動限で、図８に示したように刃先２ｂの一部が固定刃１１の両側の各端部１１ａ，１１ｂから必ず外側にそれぞれ外れた位置になる。
【００４０】
したがって、図９に示すように、回転刃２の往復方向の各移動限が、回転刃２の刃先２ｂの全てが固定刃１１の両側の各端部１１ｂ，１１ｃよりもそれぞれ内側になる場合には、図示のように回転刃２の矢示Ｂの往方向と矢示Ｃの復方向のそれぞれ移動限に対応した位置に、図示のような粘着シートの糊６，６が堆積しやすいが、図８で説明した粘着シート用カッタによれば、そのような糊６の固定刃１１への堆積を防止することができる
【００４１】
【発明の効果】
以上説明したように、この発明による粘着シート用カッタによれば、ラベルやライナレスラベル等の糊面を有する粘着シートを切断しても、固定刃や回転刃に粘着シートの糊が付着しないので、面倒な固定刃や回転刃を清掃する手間が省ける。
【図面の簡単な説明】
【図１】  この発明の一実施形態例を示す粘着シート用カッタの斜視図である。
【図２】  この発明による粘着シート用カッタの他の実施の形態を示す図１と同様な斜視図である。
【図３】  固定刃の一部に非粘着処理を施すようにした粘着シート用カッタの実施の形態を示す斜視図である。
【図４】  同じくその粘着シート用カッタを一部を断面状態にして示す側面図である。
【図５】  異なる形状のオイル含浸フェルトの例を説明するための一部を断面にして示す概略図である。
【図６】  異なる形状の回転刃を使用した粘着シート用カッタの参考例を示す図５と同様な概略図である。
【図７】  異なる形状の固定刃の例を回転刃側を断面にして示す概略図である。
【図８】  この発明による粘着シート用カッタのさらに他の実施の形態の異なる部分のみを示す正面図である。
【図９】  回転刃の往復方向の各移動限が固定刃の両側の各端部よりもそれぞれ内側になるときにその移動限に対応した位置に粘着シートの糊が堆積しやすい様子を示す正面図である。
【図１０】  連続した台紙上に所定の間隔でラベル片が貼り付けられているラベルの例を示す正面図である。
【図１１】  連続した台紙上にラベル紙が連続して貼り付けられているラベルの例を拡大して示す正面図である。
【図１２】  内側に糊面を有する連続したラベル紙の例を示す正面図である。
【図１３】  従来の固定刃に沿って移動する回転刃を備えた粘着シート用カッタの場合にはその固定刃と回転刃に糊が付着しやすい様子を説明するための斜視図である。
【図１４】  同じくその糊が付着した状態にある固定刃を示す側面図である。
【図１５】  図１３に示した回転刃の刃先付近にも糊が付着する様子を説明するための側面図である。
【符号の説明】
１，１′，１１，３１：固定刃
２，２′：回転刃      ２ａ：最も深くラップする部分  ２ｂ：刃先
２ｃ：固定刃と接触しない先端部斜面      ２ｄ：固定刃と接触する面
３，３′：粘着シート          ４：溝（逃げ部）
５，１５，１５′：オイル含浸フェルト
６：糊                        １０：非粘着処理部
１１ａ：下端縁                １１ｂ，１１ｃ：端部
２１：凹部
２５：回転刃接触面オイル含浸フェルト
３２：逃げ部
【図１】
0004137210.tif 000002
【図２】
0004137210.tif 000003
【図３】
0004137210.tif 000004
【図４】
0004137210.tif 000005
【図５】
0004137210.tif 000006
【図６】
0004137210.tif 000007
【図７】
0004137210.tif 000008
【図８】
0004137210.tif 000009
【図９】
0004137210.tif 000010
【図１０】
0004137210.tif 000011
【図１１】
0004137210.tif 000012
【図１２】
0004137210.tif 000013
【図１３】
0004137210.tif 000014
【図１４】
0004137210.tif 000015
【図１５】
0004137210.tif 000016